(57)【特許請求の範囲】
【請求項１】
たて糸とよこ糸を筒状に織成したジャケットの内面に、ゴム材または合成樹脂材からなるライニング層を嵌合してなる消防用ホースにおいて、
該ホースを偏平状に折り畳んだ状態での両側端部である耳部の相互間で、かつリールなどに巻回したときの外周側に相当する部位のみに、耳部相互間の柄部もしくはその裏部に相当する部位の縦糸を、他の部位の縦糸よりも太い糸を選択して撚り合わせ、所定幅のベルト状に織成してなる展張促進部を設けたことを特徴とする消防用ホース。
【請求項２】
上記展張促進部は、該ホースの長手方向に亘って、互いに並行に設けられる複数条のベルトからなることを特徴とする請求項１記載の消防用ホース。
【発明の詳細な説明】
【０００１】
【発明の属する技術分野】
本発明は、消防用ホースに係わり、特に、保管状態からホースを伸ばしたときの伸ばし易さおよび伸ばしたホースが真っ直ぐに伸びる、いわゆる展張性の改良に関する。
【０００２】
【従来の技術】
一般に使用される消防用ホースは、繊維よりなるたて糸と、よこ糸とを筒状に織成したジャケットと、このジャケットの内周面に接着固定されるゴム材あるいは合成樹脂材からなるライニング層との、二重構造となっている。
【０００３】
この種のホースは、通常は偏平状に折り畳んだ状態にしてリールなどに巻回し、そのまま保管および運搬がなされる。実際の使用にあたって、リールからホースを順次繰り出し、しかるのち内部に高圧水を導くことによりホースは円形に膨出変形する。
【０００４】
ホースとして、偏平状に折り畳んだ状態での両側端部に沿う部分が耳部と呼ばれ、これら耳部の相互間でほぼ中間部に沿って、たとえばホースメーカーの識別をなすための色糸が縫い込まれていて、これを柄部と呼んでいる。
【０００５】
すなわち、上記柄部は偏平状に折り畳んだホースの片面側に設けられる模様であり、しかもホースの表面に設けられる。そして、ホース柄部の裏側の部分を裏部と呼んでいる。
【０００６】
【発明が解決しようとする課題】
このようにして構成される消防用ホースを用いて消火活動をなすときは、一刻を争って保管状態にあるホースを展張し、かつ内部に高圧水を通してホース先端から噴射させなければならない。
【０００７】
したがって、消防用ホースに求められる条件として、保管状態からホースを伸ばしたときの伸ばし易さおよび伸ばしたホースが真っ直ぐに伸びる、いわゆる展張性がある。ところが、従来の消防用ホースとして、展張性について完全に満足するまでには至っていない。
【０００８】
本発明は上記事情に着目してなされたものであり、その目的とするところは、保管中の状態からホースを伸ばしたときの伸ばし易さおよび伸ばしたホースが真っ直ぐに伸びる、いわゆる展張性の向上化を得る消防用ホースを提供しようとするものである。
【００１０】
【課題を解決するための手段】
上記目的を満足するため、本発明の消防用ホースは、請求項１として、たて糸とよこ糸を筒状に織成したジャケットの内面に、ゴム材または合成樹脂材からなるライニング層を嵌合してなり、該ホースを偏平状に折り畳んだ状態での両側端部である耳部の相互間で、かつリールなどに巻回したときの外周側に相当する部位のみに、耳部相互間の柄部もしくはその裏部に相当する部位の縦糸を、他の部位の縦糸よりも太い糸を選択して撚り合わせ、所定幅のベルト状に織成してなる展張促進部を設けたことを特徴とする。
【００１５】
請求項２として、請求項１記載の消防用ホースにおいて上記展張促進部は、該ホースの長手方向に亘って、互いに並行に設けられる複数条のベルトからなることを特徴とする。
【００１９】
このような課題を解決する手段を採用することにより、リールなどにホースを巻回する保管状態からホースを伸ばしたときに、展張促進部がホースに対して展張方向に重量をかけるので、安定して伸びることとなり、かつ伸ばしたホースが真っ直ぐになって展張性がよい。
【００２１】
【発明の実施の形態】
以下、図面を参照して本発明の実施の形態について説明する。
第１の実施の形態を、図１および図２に示す。図１は、消防用ホースＨの斜視図であり、偏平状にして折り畳み、かつ図示しないリールなどに巻回したホースＨを図の矢印方向に向かって展張する状態を示している。図２は、消防用ホースの断面を概略的に示している。
【００２２】
この消防用ホースＨは、ジャケット（筒状布とも呼ばれる）１と、このジャケット１の内面に接着固定されジャケットと一体化したライニング層２との、二重構造となっている。
【００２３】
上記ジャケット１は、たて糸１ａと、よこ糸１ｂを筒状に織成してなるものであり、ここでは、たて糸１ａおよびよこ糸１ｂを後述するようにして撚りあわせて糸条となし、かつ所定本数の割合で打ち込んで、織り込んだものである。
【００２４】
上記ライニング層２は、柔軟なゴム材または合成樹脂材からなり、ジャケット１に内張りされる。たとえば、ジャケット１の内面に熱可塑性エラストマーのライニングが施されてなる。
【００２５】
この消防用ホースＨは、偏平状に折り畳んだうえにリールなどに巻回した状態で保管され、かつ使用地までそのまま運搬される。実際の使用時には、リールを移動もしくは回転させてホースＨを順次繰り出し、展張させてから高圧水を導通させると円形に膨出変形するようになっている。
【００２６】
このような消防用ホースＨで、偏平状に折り畳まれた状態での両側端部に沿う部分が耳部３，３と呼ばれている。これら耳部３，３の相互間でほぼ中間部に沿い、たとえばホースメーカーの識別をなすための色糸が縫い込まれていて、これは柄部４ａと呼ばれている。
【００２７】
すなわち、上記柄部４ａはホースＨを偏平状に折り畳んだ状態で、この片面側にあって、しかもホースの表面に設けられる。そして、柄部４ａの裏側が裏部４ｂと呼ばれている。
【００２８】
ここでは、ジャケット１の柄部４ａもしくは裏部４ｂで、かつリールなどに巻回して保管状態としたとき、該ホースＨの外周側に相当する部位のみに沿って展張促進部５が設けられていることが特徴である。
【００２９】
なお説明すれば、展張促進部５は所定幅を有するベルト状に形成されていて、保管状態にある消防用ホースＨを展張させたとき、この展張方向に沿って重量をかける。このことにより、消防用ホースＨは直ちに安定して伸びるので、伸ばし易く、かつ伸ばしたホースＨが真っ直ぐになって、いわゆる展張性がよい。
【００３０】
実際の展張促進部５の構成は、たとえば該当する部位のたて糸１ａ１として１０番手のポリエステルスパン糸（φ２．３ｍｍ）を選択し、１０本撚り合せた糸条を引き揃えたものを３０本使用している。
【００３１】
これに対して、展張促進部５以外の部位におけるたて糸１ａ２は、２０番手のポリエステルスパン糸（φ０．９６ｍｍ）を選択して、６本撚り合せた糸条を引き揃えたものを５４２本使用している。
【００３２】
したがって、展張促進部５を構成するたて糸１ａ１を、他の部位のたて糸１ａ２よりも太い糸を用いてベルト状に形成することにより、展張時にはその展張方向に重量がかかることになり、展張性がよい。
【００３３】
なお、消防用ホースＨの使用にあたって巻回状態にあるホースＨを展張すると、ホースＨの外面が路面と摺接して摩耗し易いが、この消防用ホースＨでは外面に展張促進部５を設けているから、この展張促進部５が路面と摺接することになり耐摩耗性の向上も得られる。
【００３４】
たとえ、路面に鋭利なガラス片や金属片があって、この消防用ホースＨ外面と接触するようなことがあっても、実際には展張促進部５がこれらに接触するので、ライニング層２までに至る外傷は容易には受けなくなる。
【００３５】
一旦使用した後は、完全に乾燥させ再びリールに巻き取るのであるが、このとき展張促進部５は偏平状になったホースＨの一部のみしか構成しておらず、特に作業の支障にならずに円滑な巻き取りが可能である。
【００３６】
なお、展張促進部５として、所定幅の補強布を耳部３，３相互間の柄部４ａに接着したものであってもよく、あるいは耳部３，３相互間の所定部位にゴムラテックスをベルト状に含浸させたものであってもよく、要は展張時に展張方向に重量をかけることができればよい。
【００３７】
さらに、図３に示すように、互いに並行する２条の展開促進部５，５を耳部３，３相互間で、かつ該ホースＨａを巻回した状態で外周側に相当する部位にのみ設けるようにしてもよい。
【００３８】
あるいは、図４に示すように、耳部３，３相互間で、かつこの両面側に２条づつの展開促進部５を互いに並行に設けるようにしてもよい。すなわち、展開促進部５は該ホースＨｂの長手方向に亘って複数条設けられる。
【００３９】
いずれの展開促進部５であってもベルト状をなし、先に説明したような他の部位よりも太いたて糸や、補強布もしくはゴムラテックスを含浸させたものの、いずれから選択されることになる。
【００４０】
図５は、第２の実施の形態の消防用ホースＨｃを示す。
詳細には図示しないが、基本的には先に説明したように、ジャケット１とライニング層２との二重構造となっていることと、ジャケット１はたて糸１ａとよこ糸１ｂを筒状に織成してなり、かつライニング層２の素材とジャケット１に対する構成も変わりがない。
【００４１】
そして、この消防用ホースＨｃは通常、偏平状に折り畳んだ状態でリールなどに巻回され、保管・運搬される。実際の使用時に高圧水を導通させると、円形に膨出変形することも同様である。
【００４２】
ここでの特徴として、折り畳んだ状態で偏平状であってもよいが、少なくとも実際の使用にあたってホースＨｃを展張した状態で、耳部３，３相互間の両面が密着せずに膨出する、非偏平状構造をなすことにある。
【００４３】
これに対して従来の、両面が密着する偏平状態のままで展張される消防用ホースでは、高圧水がホースを内側から押し広げながら通じなければならず、完全に円形になるまでに時間がかかる。
【００４４】
しかるに、上記非偏平状構造を採用した消防用ホースＨｃでは、展張した状態で両面が膨出し、そのまま高圧水を通す。したがって、高圧水のホースＨｃに対する抵抗が少なく、極めて迅速に通ってホースを直ちに円形に膨出変形させる。よって、この消防用ホースＨｃでは、内部に水が通じる速さである、いわゆる通水性に優れている。
【００４５】
具体的には、ジャケット１を構成するよこ糸１ｂとして、たて糸１ａよりも弾力性に富む弾性繊維もしくは弾性糸が用いられる。たとえば、モノフィラメントとフィラメントを合撚した糸を使用すれば、無加圧時または低加圧時によこ糸１ｂの弾性復元力によって径方向に弾性をかけ、両面が膨出する非偏平構造の状態となる。
【００４６】
図６は、第３の実施の形態の消防用ホースＨｄを示す。
基本的な構成は先に説明したものと同様であって、新たな説明を省略する。ここでの特徴として、該ホースＨｄを偏平に折り畳み、かつリールなどに巻回した状態で、この両側端部に沿う耳部３ａ，３ａは略半円形状を保持し、他の部位のように完全に密着しない剛性を有している。
【００４７】
したがって、ホースＨｄを展張しても、耳部３ａ，３ａは略半円形状を保持して内部に隙間が形成されるから、高圧水はこの隙間を通って直ちにホースＨｄを完全円形に膨出変形させる。このようなホースＨｄにおいても、内部に水が通じる速さである、いわゆる通水性に優れている。
【００４８】
なお、上記実施の形態においては、展張促進部５を備えて展張性を高めた消防用ホースＨ〜Ｈｂと、非偏平状構造として通水性を高めた消防用ホースＨｃ、Ｈｄを別個にして説明したが、これに限定されるものではなく、この両方を兼ね備えた消防用ホースであってもよい。
【００４９】
【発明の効果】
以上説明したように本発明によれば、ホースの耳部相互間で巻回したときの外周側に相当する部位のみに他の部位の縦糸よりも太い縦糸を撚り合わせてベルト状とした展張促進部を備えたから、ホースを伸ばしたときの伸ばし易さおよび伸ばしたホースが真っ直ぐに伸びる、いわゆる展張性の向上化を得られるという効果を奏する。
【図面の簡単な説明】
【図１】本発明の第１の実施の形態に係わる、消防用ホースの斜視図。
【図２】同実施の形態に係わる、消防用ホースの概略の断面図。
【図３】同実施の形態の変形例としての、消防用ホースの斜視図。
【図４】同実施の形態のさらに異なる変形例としての、消防用ホースの斜視図。
【図５】本発明の第２の実施の形態に係わる、消防用ホースの斜視図。
【図６】本発明の第３の実施の形態に係わる、消防用ホースの斜視図。
【符号の説明】
１…ジャケット、
１ａ…たて糸、
１ｂ…よこ糸、
２…ライニング層、
３…耳部、
４ａ…柄部、
４ｂ…裏部、
５…展張促進部。
【図１】
0004531172.tif 000002
【図２】
0004531172.tif 000003
【図３】
0004531172.tif 000004
【図４】
0004531172.tif 000005
【図５】
0004531172.tif 000006
【図６】
0004531172.tif 000007